(57)【特許請求の範囲】
【請求項１】
ケース内部に収容したプリント基板の導体に実装した雄端子をケース周壁に設けた端子接続部内に突出すると共に、該端子接続部の底側が前記プリント基板で閉鎖され、該底側と対向する前記端子接続部の先端開口から電線端末に接続した雌端子を挿入して前記雄端子と嵌合接続する電気接続箱において、
前記端子接続部の端子収容室を囲む下壁に、前記先端開口から前記ケースの中空部に連続するピン挿入溝を凹設し、該ピン挿入溝の底側開口に対向する位置の前記プリント基板に前記雄端子と接続した導体から延在する導通検査用接点を設け、
前記端子接続部の先端開口から前記ピン挿入溝に導通検査ピンを挿入して、前記導通検査用接点に接触させて導通検査を行える構成としている電気接続箱。
【請求項２】
前記端子接続部内において、前記ピン挿入溝の底側上面を閉鎖するように端子係止用のランスを設け、該ランスの底端側を前記ピン挿入溝の両側壁の上面に架橋状に連続させる支持部とし、該支持部から先端側は前記下壁と分離して上下方向に撓み可能とし、かつ、該ランスの中央上面に前記電線端末の雌端子に設けた係止凹部に係止する係止段部を突設すると共に、該係止段部の先端に下向き傾斜部を設け、該下向き傾斜部を前記ピン挿入溝の上面開口に位置させ、
雌雄端子の誤結時に、前記ピン挿入溝に解除治具ピンを挿入し、前記ランスの下向き傾斜部と接触させて押し下げることにより、該ランスによる係止を解除し、前記電線端末の雌端子を前記端子接続部からの抜き出しを可能としている請求項１に記載の電気接続箱。
【発明の詳細な説明】
【技術分野】
【０００１】
本発明は自動車等の車両に搭載される電気接続箱に関し、特に、電気接続箱内に収容したプリント基板から突設する端子をケース周壁に設けた端子接続部（キャビテイ）に突出させ、該端子接続部に電線接続端子を挿入して嵌合する電気接続部位に対して、前記端子接続部の底部が前記プリント基板により閉鎖されている場合に、電線接続端子の挿入口側から導通検査および端子抜き作業が行えるようにするものである。
【背景技術】
【０００２】
自動車に搭載される電気・電子部品の増加に伴い、これら部品への電気分配および給電制御を行う電気接続箱の内部にプリント基板を収容し、該プリント基板から突設した接続ピンに外部電線を端子接続する場合がある。
例えば、図６に示す電気接続箱では、ケース１００の内部にプリント基板１０１を収容し、該プリント基板１０１の導体に半田付けで実装したタブ状あるいはピン状の雄端子１０２をケース１００の周壁外面に設けた端子接続部（キャビテイ）１０３に突出させている。該端子接続部１０３の先端開口１０３ａから外部電線２００の端末に接続した雌端子２０１を挿入し、前記基板実装の雄端子１０２に嵌合して電気接続している。其の際、挿入する電線端末の雌端子２０１の底面に設けている係止段部２０１ａに端子接続部１０３の内壁から可撓性を持たせて突出しているランス１０５を係止して、基板実装の雄端子１０２と嵌合した電線端末の雌端子２０１を所定位置に保持している。
【０００３】
前記雌雄端子２０１、１０２との電気接続の確認を行う導通検査を行う必要がある。また、基板実装の雄端子１０２と雌端子２０１が誤結された場合、雌雄端子の嵌合を解除して雌端子２０１を端子接続部１０３から抜き出す作業が必要となる。
【０００４】
前記端子接続部での電気接続確認の導通検査を行う場合、特開平８−２２８８２号公報、特開２０１２−４２３８３号公報等に開示しているように、端子接続部に挿入する雌端子２０１の先端開口と対向する方向、即ち、雄端子側から導通検査ピンを挿入し、雌端子２０１と接触させている。
また、端子接続部内で誤結されている雌端子２０１を雄端子との嵌合を解除して端子接続部から抜き出す場合も、雄端子側から解除治具を挿入し、雌端子２０１の係止段部２０１ａに係止しているランス１０５の先端突出部側を押し下げて、雌端子２０１を端子接続部から抜き出せるようにしている。
【先行技術文献】
【特許文献】
【０００５】
【特許文献１】特開平８−２２８８２号公報
【特許文献２】特開２０１２−４２３８３号公報
【発明の概要】
【発明が解決しようとする課題】
【０００６】
前記電気接続箱１００では内部に収容したプリント基板１０１が、電気接続箱１００内を横断する状態で収容されているため、ケース周壁に突設する端子接続部１０３の底部側を閉鎖している。よって、プリント基板１０１側からの端子抜き取り治具および導通検査ピンを挿入することは構造上困難である。
【０００７】
本発明は前記問題に鑑みてなされたもので、プリント基板に実装された端子がケース周壁に設けた端子接続部に突出していると共に、該端子接続部の底側が前記プリント基板で閉鎖されている電気接続箱において、前記端子接続部に挿入して前記基板に実装された端子と嵌合接続する電線端末端子との導通検査および誤結された電線端末の端子の抜き取りが行えるようにすることを課題としている。
【課題を解決するための手段】
【０００８】
前記課題を解決するため、本発明は、ケース内部に収容したプリント基板の導体に実装した雄端子をケース周壁に設けた端子接続部内に突出すると共に、該端子接続部の底側が前記プリント基板で閉鎖され、該底側と対向する前記端子接続部の先端開口から電線端末に接続した雌端子を挿入して前記雄端子と嵌合接続する電気接続箱において、
前記端子接続部の端子収容室を囲む下壁に、前記先端開口から前記ケースの中空部に連続するピン挿入溝を凹設し、該ピン挿入溝の底側開口に対向する位置の前記プリント基板に前記雄端子と接続した導体から延在する導通検査用接点を設け、
前記端子接続部の先端開口から前記ピン挿入溝に導通検査ピンを挿入して、前記導通検査用接点に接触させて導通検査を行える構成としている電気接続箱を提供している。
【０００９】
前記のように、本発明の電気接続箱では、端子接続部の先端開口からケースの中空部に連続するピン挿入溝を設けると共に、該ピン挿入溝に挿入した導通検査ピンが突き当たる位置のプリント基板に、雄端子と導通した導体を延在させた検査用接点部を設けている。これにより、端子接続部のケース内の底側がプリント基板で閉鎖されていても、端子接続部の先端開口からピン挿入溝に導通検査ピンを挿入し、プリント基板の検査用接点部に突き当てることにより、端子接続部内で基板実装の雄端子と電線端末の雌端子が正規に嵌合して回路接続が成されていることを確認検査することができる。  
【００１０】
さらに、本発明の電気接続箱では、前記端子接続部内において、前記ピン挿入溝の底側上面を閉鎖するように端子係止用のランスを設け、該ランスの底端側を前記ピン挿入溝の両側壁の上面に架橋状に連続させる支持部とし、該支持部から先端側は前記下壁と分離して上下方向に撓み可能とし、かつ、該ランスの中央上面に前記電線端末の雌端子に設けた係止凹部に係止する係止段部を突設すると共に、該係止段部の先端に下向き傾斜部を設け、該下向き傾斜部を前記ピン挿入溝の上面開口に位置させ、
雌雄端子の誤結時に、前記ピン挿入溝に解除治具ピンを挿入し、前記ランスの下向き傾斜部と接触させて押し下げることにより、該ランスによる係止を解除し、前記電線端末の雌端子を前記端子接続部からの抜き出しを可能としている。  
【００１１】
前記のように、電線端末の端子を係止するランスを前記ピン挿入溝の上部に設けると共に、該ピン挿入溝の上面に該ランスの可撓側先端に設けた下向き傾斜部を位置させることで、ピン挿入溝から解除治具ピンを挿入して、ランスの係止を解いて端子を抜き出すことができる。
このように、ピン挿入溝を導通検査ピンと解除治具ピンの挿入溝として機能させ、端子接続部の底側（奥側）がプリント基板で閉鎖されていても導通検査および誤結時の端子抜きを行うことができる。
【００１２】
本発明の電気接続箱は、ケースの他の部分にヒューズ嵌合部、リレー嵌合部、電線端末のコネクタ嵌合部を設けてもよい。
【００１３】
さらに、本発明の電気接続箱を他の電気接続箱と着脱自在に連結できる構成としてもよい。例えば、自動車に搭載するジャンクションボックスからなる電気接続箱を、ワイヤハーネス端末のコネクタ嵌合部と、ヒューズ装着部とを分割して、ハーネス接続ボックスとヒューズ専用ボックスとを別体として設け、着脱自在に連結できるようにし、前記ヒューズ専用ボックス内にプリント基板を収容すると共に、一面に前記端子接続部を設け、他面にヒューズ装着部を設けてもよい。
【発明の効果】
【００１４】
前記のように、本発明の電気接続箱は、ケース内に収容したプリント基板から突出した端子をケース周壁に設けた端子接続部（キャビテイ）内に突出させ、電線端末の端子と嵌合接続し、該端子接続部のケース内の底側（奥側）が前記プリント基板で閉鎖されていても、端子嵌合による回路接続の確認検査用の導通検査ピンをピン挿入溝に挿入して導通検査することができる。さらに、端子嵌合が誤結である場合、係止解除用の解除治具ピンを前記ピン挿入溝に挿入してランスを押し下げて係止を解除し、電線端末の端子を抜き出すことができる。
【図面の簡単な説明】
【００１５】
【図１】本発明の電気接続箱の実施形態を示し、（Ａ）は断面図、（Ｂ）は右側面図である。
【図２】前記電気接続箱に設けた端子接続部を示し、（Ａ）は拡大垂直断面図、（Ｂ）は水平断面図、（Ｃ）は右側面図、（Ｄ）は（Ａ）のＤ−Ｄ線断面図、（Ｅ）は（Ｂ）のＥ−Ｅ線断面図である。
【図３】前記端子接続部に電線端末の端子を挿入する状態を示す断面図である。
【図４】前記端子接続部で端子を嵌合し、導通検査している状態を示す断面図である。
【図５】（Ａ）〜（Ｃ）は前記端子接続部から誤結合した端子を抜き取る工程を示す図面である。
【図６】従来例を示す断面図である。
【発明を実施するための形態】
【００１６】
以下、本発明の電気接続箱の実施形態を図面を参照して説明する。
図１に示すように、本発明の電気接続箱１は自動車に搭載され、主としてヒューズを装着しているヒューズ専用ボックスとして好適に用いられるものである。
【００１７】
該電気接続箱１は図１（Ａ）（Ｂ）に示すケース２０を第１ケース２１と第２ケース２２とから構成し、第１ケースはメンテナンス空間に向ける表面ケースとし、他方の第２ケース２１を車体パネル側に沿わせる裏面ケースとしている。第１ケース２１と第２ケース２２で囲まれる中空部にプリント基板２を収容して、第１、第２ケース２１、２２に設けたロック手段２４でロック結合するものとしている。
【００１８】
前記第１ケース２１の周壁に上下方向に間隔をあけて２つのヒューズ装着部２５Ａ、２５Ｂを設けている。
一方、第２ケース２２の周壁の上端から突出したメス型のコネクタ嵌合部２６を設け、その下方の中央部にヒューズ装着部２８を設けている。さらに、該第２ケース２２の下部に端子接続部１０を突設している。本実施形態では端子接続部１０を５個並設している。
【００１９】
各端子接続部１０は図２（Ａ）〜（Ｅ）に示す構成としている。該端子接続部１０はコネクタの端子収容室（キャビテイ）に相当し、端子接続部１０の下壁１１、上壁１２、左右壁１３、１４で端子収容室１５を囲んでいる。前記プリント基板２の導体からなる導電路３に半田付けで実装したタブ形状の雌端子５を各端子接続部１０の端子収容室１５内に各１本づつ突出している。
【００２０】
前記端子接続部１０のケース内部と連通する底側（奥側）はプリント基板２で閉鎖された状態となっており、対向側には電線端末に接続した端子挿入用の先端開口６を設けている。各端子接続部１０には先端開口６から図３に示すように、各１本の電線４の先端に接続した雌端子８を挿入し、前記雄端子５と雌雄嵌合し、プリント基板２の導電路３と電線８とを回路接続するようにしている。
【００２１】
端子接続部１０の端子収容室１５を囲む下壁１１の左右幅方向の中央部に、先端開口６からケース内の中空部１６に連続する位置までの長さ方向の全長にピン挿入溝３０を凹設している。ピン挿入溝３０の両側壁３０ａの上部内面に段状突出部３０ａ−１を設けている。該段状突出部３０ａ−１の下方空間をピンガイド部３０ｇと、後述する導通検査ピン５０および解除治具ピン６０を摺動自在にガイドする溝形状としている。
【００２２】
ピン挿入溝３０のケース内の中空部１６に開口する底側の内部開口３０ｈは、プリント基板２の前記雄端子５の突出位置Ｐ１から下方に位置する突き当て位置Ｐ２に対向させている。プリント基板２の裏面側に前記雄端子５を実装した導通路３を延在させた導通路４０を設け、該導通路４０の先端に設けたスルーホールに半田を充填し、突き当て位置Ｐ２の表面に検査用接点部４２を設けている。
【００２３】
また、前記内部開口３０ｈを挟む両側壁の段状突出部３０ａ−１の上面に連続して架橋状に端子係止用のランス３５の支持部３５ａを設け、該支持部３５ａから下壁１１とは分離して、ピン挿入溝３０の上面開口を塞ぐ状態で可撓部３５ｂを先端開口６側に向けて突出している。
【００２４】
前記ランス３５は図２（Ａ）に示すように、可撓部３５ｂの先端側の上面に係止段部３５ｃを突設し、前記電線４の端末に接続した雌端子８の下面に設けた係止突起８ｄに係止するものとしている。また、ランス３５の先端の下面に解除突起３５ｄを設けている。該解除突起３５ｄの先端に下向き傾斜部３５ｅを設け、該下向き傾斜部３５ｅの先端側をピン挿入溝３０のピンガイド部３０ｇ内に上面開口からわずかに突出させている。
【００２５】
前記構成とした電気接続箱１の端子接続部１０内に突出した雄端子５に電線４の端末に接続した雌端子８を図３に示すように挿入し、雄端子５と雌雄嵌合する。この状態で雌端子８の係止突起８ｄにランス３５の係止段部３５ｃが係止し、雄端子５との嵌合状態を係止保持する。
【００２６】
雌雄端子８、５を嵌合して回路接続した状態を検査するため、図４に示すように、導通検査ピン５０を端子接続部１０のピン挿入溝３０に先端開口６側から挿入する。導通検査ピン５０はピン挿入溝３０のピンガイド部３０ｇに挿入し、内部開口３０ｈを通してプリント基板２に突き当てる。該突き当て位置Ｐ２に導通検査用接点４２を設けているため、導通検査ピン５０の先端は導通検査用接点４２に突き当たって接触する。これにより、雌雄端子８、５の電気接続が成されているか否かを検査することができる。
【００２７】
また、雄端子５と嵌合した電線４の端末の雌端子８が誤結した端子であれば、抜き出す必要があるため、図５に示すように解除治具ピン６０を用いて雌端子８を抜き出している。
即ち、図５（Ａ）に示すように、解除治具ピン６０をピン挿入溝３０に挿入していく。ランス３５の解除突起の下向き傾斜部３５ｅがピンガイド部３０ｇの上部にわずかに突出しているため、解除治具ピン６０の先端傾斜部６０ａを図５（Ｂ）に示すように下向き傾斜部３５ｅに接触させることができる。この状態で、図５（Ｃ）に示すように、ランス３５の可撓部３５ｂを下向き傾斜させ、雌端子８との係止を解くと、雌端子８を端子接続部１０から引き出すことができる。
【００２８】
本発明は前記実施形態に限定されず、本発明の要旨を逸脱しない範囲で変更可能である。
【符号の説明】
【００２９】
１  電気接続箱
２  プリント基板
３  導通路
４  電線
５  雄端子
８  雌端子
１０  端子接続部
１１  下壁
３０  ピン挿入溝
３５  ランス
５０  導通検査ピン
６０  解除治具ピン
【図１】
0006052084.tif 000002
【図２】
0006052084.tif 000003
【図３】
0006052084.tif 000004
【図４】
0006052084.tif 000005
【図５】
0006052084.tif 000006
【図６】
0006052084.tif 000007